(57)【要約】【課題】高照度環境における表示効果が向上するディスプレイ端末を提供する。【解決手段】ディスプレイ端末は、偏光子と、偏光子の下方に位置する表示画面とを備え、偏光子と表示画面との間には隙間が介在する。高照度環境にディスプレイ端末が存在する場合、光は偏光子を通過して表示画面に入射するが、偏光子は暗く偏光子の色は透明カバーの色よりも濃いため、光が伝搬する際、偏光子及び表示画面はこれらの表面に入射する光を反射し、偏光子はその表面に入射する光の一部を吸収するとともに、表示画面から偏光子へ反射される光も吸収する。ディスプレイ端末が動作していないときは、ディスプレイ端末の画面は黒くなる傾向にあり、反射光が少ないためにグレアを生じさせることがない。【選択図】図１
2015031952.tif 000002
【特許請求の範囲】
【請求項１】
偏光子と、前記偏光子の下方に位置する表示画面とを備え、前記偏光子と前記表示画面との間には隙間が介在することを特徴とするディスプレイ端末。
【請求項２】
前記ディスプレイ端末が前記表示画面の両側にそれぞれに位置する上ケース及び裏カバーをさらに備え、
前記上ケースが中空領域と前記中空領域を取り囲む枠とを有し、
前記偏光子が前記表示画面に面する前記枠の表面に直接取り付けられることを特徴とする請求項１記載のディスプレイ端末。
【請求項３】
前記表示画面の、前記偏光子が配置された側に位置するタッチ画面をさらに備えることを特徴とする請求項１記載のディスプレイ端末。
【請求項４】
前記偏光子が前記タッチ画面と前記表示画面との間に置かれ、前記偏光子が前記タッチ画面に直接取り付けられ、接着層が前記偏光子と前記表示画面との間に配置されることを特徴とする請求項３記載のディスプレイ端末。
【請求項５】
前記偏光子が前記タッチ画面の上方に位置し、前記偏光子が前記タッチ画面に直接取り付けられ、接着層が前記タッチ画面と前記表示画面との間に配置されることを特徴とする請求項３記載のディスプレイ端末。
【請求項６】
前記接着層が両面接着層であることを特徴とする請求項４又は５記載のディスプレイ端末。
【請求項７】
前記ディスプレイ端末の前記上ケースの前記中空領域を覆う透明カバーをさらに備えることを特徴とする請求項２記載のディスプレイ端末。
【請求項８】
前記偏光子の色は前記透明カバーの色よりも濃いことを特徴とする請求項７記載のディスプレイ端末。
【請求項９】
前記偏光子が前記表示画面に面する前記透明カバーの表面に直接取り付けられることを特徴とする請求項７又は８記載のディスプレイ端末。
【請求項１０】
前記表示画面が液晶表示画面又は有機発光ダイオード画面であることを特徴とする請求項１記載のディスプレイ端末。
【請求項１１】
前記ディスプレイ端末が、携帯電話、コンピュータ、テレビジョン又は屋外広告画面であることを特徴とする請求項１記載のディスプレイ端末。
【発明の詳細な説明】
【技術分野】
【０００１】
本発明は、ディスプレイに関し、特に、ディスプレイ端末に関する。
【背景技術】
【０００２】
現在、携帯電話、ＴＶ、コンピュータ、屋外広告画面等の多くの種類のディスプレイ端末が存在し、これらは人々の生活から切り離せなくなっている。ディスプレイ端末は、人々へ多くの娯楽をもたらすだけでなく、仕事、勉強等にも便利な状況をもたらす。従来技術では、ディスプレイ端末は、表示画面と、該表示画面に組み合わされた偏光子とを含む。例えば、２つの偏光子が、ＬＣＤ（液晶表示）画面の上面及び下面にそれぞれ直接取り付けられる。また、１つの偏光子が、ＯＬＥＤ（有機発光ダイオード）画面の上面に直接取り付けられる。
【０００３】
ディスプレイ端末の表示効果を向上させるためには、ディスプレイ端末の性能を向上させることが非常に重要である。特に、ディスプレイ端末の表示効果は高照度環境においては向上される必要がある。
【発明の概要】
【発明が解決しようとする課題】
【０００４】
このような事情を鑑み、本発明は、高照度環境におけるディスプレイ端末の表示効果が向上するディスプレイ端末を提供する。
【課題を解決するための手段】
【０００５】
本発明は、以下の技術的解決策を提供する。
【０００６】
上記課題を解決するために、本発明のディスプレイ端末は、偏光子と、偏光子の下方に位置する表示画面とを備え、偏光子と表示画面との間には隙間が介在する。
【０００７】
本発明のディスプレイ端末は、ディスプレイ端末が表示画面の両側にそれぞれに位置する上ケース及び裏カバーをさらに備え、上ケースが中空領域と中空領域を取り囲む枠とを有し、偏光子が表示画面に面する枠の表面に直接取り付けられることが好ましい。
【０００８】
本発明のディスプレイ端末は、表示画面の、偏光子が配置された側に位置するタッチ画面をさらに備えることが好ましい。
【０００９】
本発明のディスプレイ端末では、偏光子がタッチ画面と表示画面との間に置かれ、偏光子がタッチ画面に直接取り付けられ、接着層が偏光子と表示画面との間に配置されることが好ましい。
【００１０】
本発明のディスプレイ端末では、偏光子がタッチ画面の上方に位置し、偏光子がタッチ画面に直接取り付けられ、接着層がタッチ画面と表示画面との間に配置されることが好ましい。
【００１１】
本発明のディスプレイ端末では、接着層が両面接着層であることが好ましい。
【００１２】
本発明のディスプレイ端末は、ディスプレイ端末の上ケースの中空領域を覆う透明カバーをさらに備えることが好ましい。
【００１３】
本発明のディスプレイ端末では、偏光子が表示画面に面する透明カバーの表面に直接取り付けられることが好ましい。
【００１４】
本発明のディスプレイ端末では、表示画面が液晶表示画面又は有機発光ダイオード画面であることが好ましい。
【００１５】
本発明のディスプレイ端は、携帯電話、コンピュータ、テレビジョン又は屋外広告画面であることが好ましい。
【発明の効果】
【００１６】
従来技術と比較し、本発明が提供する技術的な解決策は以下の利点を有する。
【００１７】
本発明に係るディスプレイ端末は、表示画面と、該表示画面の上方に位置する偏光子との間に隙間を有する。ディスプレイ端末が高照度環境に存在する場合、光は偏光子を通過して表示画面へ入射する。本発明に係るディスプレイ端末の偏光子は暗いため、光が伝搬する際、偏光子及び表示画面はこれらの表面に入射する光を反射し、偏光子はその表面に入射する光の一部を吸収するとともに、表示画面から偏光子へ反射される光も吸収する。偏光子が表示画面の表面に直接取り付けられている既存のディスプレイ端末と比較して、本発明に係るディスプレイ端末では、ディスプレイ端末で反射される光が大幅に低減され、高照度環境におけるディスプレイ端末の表示効果が向上する。また、本発明に係るディスプレイ端末が作動していないときは、ディスプレイ端末の画面は黒くなる傾向にあり、反射光が少ないためにグレア（glare）を生じさせることがない。その結果、高照度環境におけるディスプレイ端末の表示効果が向上する。
【図面の簡単な説明】
【００１８】
【図１】本発明の第１の実施の形態に係るディスプレイ端末の概略構造図である。
【図２】本発明の第１の実施の形態に係るディスプレイ端末の変形例の概略構造図である。
【図３】本発明の第２の実施の形態に係るディスプレイ端末の概略構造図である。
【図４】本発明の第２の実施の形態に係るディスプレイ端末の変形例の概略構造図である。
【発明を実施するための形態】
【００１９】
本発明の各実施の形態又は従来技術における技術的解決策をより明確に示すために、以下で簡潔に説明される図面が、各実施の形態又は従来技術を説明するのに参照される。以下で説明される各図面は単に本発明の幾つかの実施の形態を示すに過ぎず、当業者には、特段の創意工夫を必要とすること無く、これらの図面に基づいて他の図面に示される他の実施の形態（他の変形例）に想到することは明らかである。
【００２０】
背景技術で述べたように、ディスプレイ端末の表示効果を向上させる必要がある。これに対応して、本発明者は、従来技術のディスプレイ端末が、表示画面と、該表示画面の上方に位置する偏光子とを含むこと、さらに、偏光子及び表示画面が一体化構造と等しくなるように、偏光子が表示画面の表面に密着して取り付けられ且つ薄いことに注目した。
【００２１】
例えば、従来技術のディスプレイ端末が高照度環境に存在する場合、偏光子の表面に入射する光は実質的に全て偏光子で反射されるため、使用者がディスプレイ端末の画面をはっきりと見ることができず、表示効果が低下するといった問題が生じる。
【００２２】
このような事情を鑑み、本発明は、上記の従来技術の問題を解消するディスプレイ端末を提供する。本発明に係るディスプレイ端末は、偏光子と、該偏光子の下方に位置する表示画面とを備え、偏光子と表示画面との間に隙間を有する。
【００２３】
換言すれば、本発明に係るディスプレイ端末は、表示画面と、該表示画面の上方に位置する偏光子との間に隙間を有する。高照度環境にディスプレイ端末が存在する場合、光は偏光子を通過して表示画面に入射する。本発明に係るディスプレイ端末の偏光子は暗いため、光が伝搬する際、偏光子及び表示画面はこれらの表面に入射する光を反射し、偏光子はさらに、その表面に入射する光の一部を吸収するとともに、表示画面から偏光子へ反射される光も吸収する。偏光子が表示画面の表面に直接取り付けられている既存のディスプレイ端末と比較して、本発明に係るディスプレイ端末では、ディスプレイ端末で反射する光が大幅に低減され、高照度環境におけるディスプレイ端末の表示効果が向上する。また、本発明に係るディスプレイ端末が作動していないときは、ディスプレイ端末の画面は黒くなる傾向にあり、反射光が少ないためにグレア（glare）を生じさせることがない。
【００２４】
上述した構成が本発明の要旨であり、本発明の目的、特徴及び利点をより充分に理解させるべく、本発明の具体的な実施の形態を添付の図面と併せてさらに詳細に説明する。
【００２５】
本発明を充分に理解させるべく、以下の記載において多くの具体的な詳細が説明されるが、本発明はまた、本発明の要旨から逸脱しない範囲で当業者によって改変されてもよく、以下に記載される手段とは別の手段によって実現されてもよい。したがって、本発明は、以下に記載される具体的な実施の形態によって限定されることはない。
【００２６】
次に、本発明を各概略図と併せて詳細に説明する。本発明の実施の形態について説明する際、説明を容易にするために、デバイス構造を示す断面図は、全体に比して部分的には拡大されておらず、また、各概略図は単なる事例に過ぎず、本発明に係る特許請求の範囲を限定するものではない。さらに、実際の製品は、長さ、幅及び奥行きを含む３次元で構成される。
【００２７】
まず、本発明の第１の実施の形態に係るディスプレイ端末について説明する。
【００２８】
本実施の形態は、携帯電話、コンピュータ、テレビジョン、及び屋外広告画面等に用いられるディスプレイ端末に係る。特に、コンピュータは、タブレットコンピュータ、ラップトップコンピュータ等であってもよく、ディスプレイ端末の表示画面は、ＬＣＤ画面又はＯＬＥＤ画面であってもよい。
【００２９】
図１は、本発明に係るディスプレイ端末の概略構造図である。本実施の形態では、ＬＣＤ画面を備えるディスプレイ端末について説明する。ＬＣＤ画面を備えるディスプレイ端末の偏光子を区別するために、以下、ＬＣＤ画面の上方に位置する偏光子を上側偏光子４と言い、ＬＣＤ画面の下方に位置する偏光子を下側偏光子５と言う。本実施の形態に係るディスプレイ端末は、上ケース１、ＬＣＤ画面３、上側偏光子４、及び下側偏光子５を備える。上ケース１は、中空領域と、該中空領域を取り囲む枠とを有する。ディスプレイ端末はまた、上ケース１の中空領域を覆う透明カバー２を備える。ディスプレイ端末の裏カバー及びバックライト等の他の構成要素は、従来技術のものと同じであり、したがって、特に説明はされず、図１〜４においても省略される。なお、上側偏光子４の色は暗灰色であり、上側偏光子４の色は透明カバー２の色よりも濃い。
【００３０】
具体的には、下側偏光子５はＬＣＤ画面３の下方に位置し、ＬＣＤ画面３の表面に取り付けられる。上側偏光子４はＬＣＤ画面３の上方に位置し、隙間が上側偏光子４とＬＣＤ画面３との間に介在する。本実施の形態に係るディスプレイ端末は、ＬＣＤ画面３の両側にそれぞれ位置する上ケース１及び裏カバー（図示せず）を備える。上ケース１は、上述したように、中空領域と、該中空領域を取り囲む枠とを有する。上側偏光子４は、ＬＣＤ画面に面する枠の表面に直接取り付けられる（図１参照）。
【００３１】
図２は、本実施の形態に係るディスプレイ端末の変形例の概略図である。本実施の形態に係るディスプレイ端末もまた、上ケース１の中空領域を覆う透明カバー２を備える。上側偏光子４は、ＬＣＤ画面３に面する透明カバー２の表面に直接取り付けられてもよい。
【００３２】
なお、偏光子は方向性を有するが、従来技術では、上側偏光子（すなわち、表示画面の上方に位置する偏光子）は、粘着性がある上側偏光子の表面を表示画面の表面に密着させることによって表示画面の表面に取り付けられる。すなわち、粘着性がある上側偏光子の表面は表示画面に面する。本発明では、上側偏光子４を確実に機能させるために、粘着性がある上側偏光子４の表面がＬＣＤ画面３とは反対の側を向き、粘着性がない上側偏光子４の表面がＬＣＤ画面３に面するので、上側偏光子４の偏光角と従来技術の上側偏光子の偏光角との差が１８０度になる。若しくは、本発明の上側偏光子４の粘着性がある表面は、従来技術の上側偏光子の表面と反対になるように配置される必要がある。
【００３３】
さらに、偏光子を１つだけ有するＯＬＥＤ画面では、偏光子はＯＬＥＤ画面の上方に位置し、隙間が偏光子とＯＬＥＤ画面との間に介在する。偏光子はまた、ディスプレイ端末のＯＬＥＤ画面に面する上ケースの枠の表面、又はＯＬＥＤ画面に面する透明カバーの表面に直接取り付けることもでき、この場合、透明カバーは、ディスプレイ端末の上ケースの中空領域を覆うように構成される。
【００３４】
本発明に係るディスプレイ端末では、隙間が、表示画面と、該表示画面の上方に位置する偏光子との間に介在する。高照度環境にディスプレイ端末が存在する場合、光は偏光子を通過して表示画面へ入射する。本発明に係るディスプレイ端末の偏光子は暗く偏光子の色は透明カバーの色よりも濃いため、光が伝搬する際、偏光子及び表示画面は、これらの表面に入射する光を反射し、偏光子は、その表面に入射する光の一部を吸収するとともに、表示画面から偏光子へ反射される光も吸収する。偏光子が表示画面の表面に直接取り付けられている既存のディスプレイ端末と比較して、本発明に係るディスプレイ端末では、ディスプレイ端末で反射される光が大幅に低減され、高照度環境におけるディスプレイ端末の表示効果が向上する。また、本発明に係るディスプレイ端末が作動していないときは、ディスプレイ端末の画面は黒くなる傾向にあり、反射光が少ないためにグレアを生じさせることがない。
【００３５】
次に、本発明の第２の実施の形態に係るディスプレイ端末について説明する。
【００３６】
第１の実施の形態によるディスプレイ端末と比較して、本実施の形態に係るディスプレイ端末はタッチ画面をさらに備える。本実施の形態においても、ＬＣＤ画面を備えるディスプレイ端末を用いて説明する。つまり、ＬＣＤ画面の上方に位置する偏光子が上側偏光子であり、ＬＣＤ画面の下方に位置する偏光子が下側偏光子である。タッチ画面及び上側偏光子は、ＬＣＤ画面の同じ側に位置する。以下、本実施の形態は、図３及び図４を参照して説明される。
【００３７】
図３は、本実施の形態に係るディスプレイ端末の概略構造図である。ディスプレイ端末は、ディスプレイ端末の上ケース１と、ディスプレイ端末の上ケース１の中空領域を覆う透明カバー２と、ＬＣＤ画面３と、ＬＣＤ画面３の上方に位置する上側偏光子４とを備え、上側偏光子４とＬＣＤ画面３との間には隙間が介在する。さらにディスプレイ端末は、ＬＣＤ画面３の下方に位置してＬＣＤ画面３の表面に直接取り付けられた下側偏光子５を備える。加えて、ディスプレイ端末は、ＬＣＤ画面３の、上側偏光子４が配置された側に位置するタッチ画面６をも備える。
【００３８】
上側偏光子４は、タッチ画面６とＬＣＤ画面３との間に配置されてタッチ画面６に直接取り付けられてもよい（すなわち、上側偏光子４は、ＬＣＤ画面３に面するタッチ画面６の表面に直接取り付けられる）。接着層７が上側偏光子４とＬＣＤ画面３との間に配置される。接着層７は、上側偏光子４をＬＣＤ画面３の表面に完全に取り付ける光学接着層であってもよい。接着層７は両面接着層であってもよく、この両面接着層は、上側偏光子４の枠をＬＣＤ画面３と接着するのみ、又は、タッチ画面６に密着して取り付けられた上側偏光子４の表面がタッチ画面６の表面よりも小さいので、タッチ画面６の枠をＬＣＤ画面３と接着する。本実施の形態の接着層は両面接着層であることが好ましい。両面接着層を用いて接合された既存のタッチ画面及びＬＣＤ画面と比較して、本発明における上側偏光子とＬＣＤ画面の間の構成の改善によってもたらされる効果は大きい。すなわち、表示効果が大幅に高まる。
【００３９】
図４は、本実施の形態に係るディスプレイ端末の変形例の概略構造図である。ディスプレイ端末は、ディスプレイ端末の上ケース１と、ディスプレイ端末の上ケース１の中空領域を覆う透明カバー２と、ＬＣＤ画面３と、ＬＣＤ画面３の上方に位置する上側偏光子４とを備え、上側偏光子４とＬＣＤ画面３との間には隙間が介在する。さらにディスプレイ端末は、ＬＣＤ画面３の下方に位置してＬＣＤ画面３の表面に直接取り付けられた下側偏光子５を備える。加えて、ディスプレイ端末は、ＬＣＤ画面３の、上側偏光子４が配置された側に位置するタッチ画面６をも備える。
【００４０】
上側偏光子４は、タッチ画面６の上方に位置し、タッチ画面６に直接取り付けられる。接着層７がタッチ画面６とＬＣＤ画面３との間に配置される。接着層７は両面接着層であることが好ましい。
【００４１】
タッチ画面を有するディスプレイ端末では、表示画面の上方に位置する偏光子は、表示画面に面する透明カバーの表面に直接取り付けられてもよい。若しくは、偏光子は、表示画面に面する表示装置の上ケースの枠の表面に直接取り付けられてもよい。さらに、本実施の形態に係るＬＣＤ画面の構造は、ＯＬＥＤ画面にも適用可能である。
【００４２】
本実施の形態に係るディスプレイ端末では、偏光子は、タッチ画面の上面又は下面に密着して取り付けられる。偏光子は暗く薄いので、タッチ画面と偏光子は一体化構造と等しい。隙間がタッチ画面と表示画面との間に介在し、タッチ画面は、好ましくは両面粘着層によって偏光子に接着される。高照度環境にディスプレイ端末が存在する場合、入射光は偏光子及びタッチ画面を通過して表示画面に入射する。光が伝搬する際、偏光子は、その表面に入射する光の一部を吸収するとともに、表示画面から偏光子へ反射される光も吸収する。偏光子が表示画面の表面に直接取り付けられている既存のディスプレイ端末と比較して、本発明に係るディスプレイ端末では、ディスプレイ端末で反射される光が大幅に低減され、高照度環境におけるディスプレイ端末の表示効果が向上する。また、本発明に係るディスプレイ端末が動作していないときは、ディスプレイ端末の画面は黒くなる傾向にあり、反射光が少ないためにグレアを生じさせることがない。
【００４３】
さらに、タッチ機能を実現するために、電極パターンがタッチ画面上に設けられる。電極パターンは透明材料で作られるが、タッチ画面のそれぞれの領域は、透過率が均一ではない。偏光子はタッチ画面の上面又は下面に密着して取り付けられてタッチ画面のそれぞれの領域がおおよそ均一な透過率になる。これにより、従来技術のタッチ画面の不均一な透過率に起因する、電極パターンが見えるという現象が回避される。
【００４４】
記載された各実施の形態の上記の説明に基づき、当業者は本発明を実行又は利用することができ、当業者がこれらの実施の形態に多くの改変を加えることができるのは明らかである。本明細書で規定された各実施の形態に共通する原理は、本発明の趣旨又は範囲から逸脱することなく他の実施の形態に適用することができる。したがって、本発明は、本明細書に例示された各実施の形態に限定されることはなく、本明細書に記載された原理及び新規の特徴と矛盾しない最も広い範囲によって規定されるべきである。
【符号の説明】
【００４５】
１  上ケース
２  透明カバー
３  ＬＣＤ画面
４  上側偏光子
５  下側偏光子
６  タッチ画面
７  接着層
【図１】
2015031952.tif 000003
【図２】
2015031952.tif 000004
【図３】
2015031952.tif 000005
【図４】
2015031952.tif 000006